(57)【要約】      （修正有）【課題】取り扱いが簡単でかつ安定した高さ調節自在な棚板を提供することにある。【解決手段】棚板構造１１は、枠体５１に棚板４１を設けるものであり、棚板４１となる被支持材４０の両端へ押圧機構１０を備える（Ａ）。そして、偏心された回転軸を有する偏心部材２０，２０を回転させて、被支持材４０の両端が当接物５０たる左右の枠体５１，５１へ押圧作用を及ぼし、棚板４１として固定される（Ｂ）。この方法によれば、枠体５１の所望する任意の高さのところに、棚板４１を簡単に固定させることができる。【選択図】図９
2008069912.tif 000002
【特許請求の範囲】
【請求項１】
偏心された回転軸を有する偏心部材と、
回転軸を軸支させた支持部材とを備え、
回転した偏心部材が当接する当接物に対して押圧作用を及ぼす押圧機構。
【請求項２】
偏心された回転軸を有する偏心部材と、
回転軸を軸支させた被支持材とを備え、
回転した偏心部材が当接する当接物に対して押圧作用を及ぼす押圧機構。
【請求項３】
偏心部材が、当接物と当接する当接部位を平面とした請求項１又は２記載の押圧機構。
【請求項４】
支持部材又は被支持材が、当接物に対して最大の押圧作用を及ぼす回転角度を超えて回転する回転角度までに偏心部材の回転範囲を規制する請求項１から３のいずれかに記載の押圧機構。
【請求項５】
支持部材又は被支持材が、基部両端から垂下する側部に形成された軸孔によって偏心部材の回転軸を軸支する請求項１から４のいずれかに記載の押圧機構。
【請求項６】
軸孔を上下方向へ伸びる長孔とした請求項５記載の押圧機構。
【請求項７】
支持部材が、基部に形成された取付孔によって被支持材を取り付ける請求項５又は６記載の押圧機構。
【請求項８】
取付孔を回転軸と垂直に交わる方向へ伸びる長孔とした請求項７記載の押圧機構。
【請求項９】
支持部材又は被支持材へ取り付けるＬ字形のアーム部材を備え、
折曲した折曲片を偏心部材と相対させ、偏心部材が当接物に及ぼす押圧作用を受け止める請求項１から８のいずれかに記載の押圧機構。
【請求項１０】
偏心部材と折曲片との間に当接物の形状に噛み合う当て嵌め部材を備えた請求項９記載の押圧機構。
【請求項１１】
偏心部材へその両端部を回転軸方向に取り付ける紐部材を備え、
回転する偏心部材に巻き付く紐部材によって、偏心部材と紐部材とに挟まれた当接物へ押圧作用を及ぼす請求項１から８のいずれかに記載の押圧機構。
【請求項１２】
枠体に棚板を設けるために、棚板となる被支持材の両端へ請求項１から１１のいずれかに記載の押圧機構を備え、被支持材の両端が当接物たる左右の枠体へ押圧作用を及ぼして棚板として固定される棚板構造。
【請求項１３】
補助対象物に補助テーブルを設けるために、補助テーブルとなる被支持材の一端に請求項１から１１のいずれかに記載の押圧機構を備え、被支持体の一端が当接物たる補助対象物へ押圧作用を及ぼして補助テーブルとして固定される補助テーブル構造。
【発明の詳細な説明】
【技術分野】
【０００１】
本発明は、高さ調節自在な棚板や取付自在な補助テーブルなど様々な場面で利用できる押圧機構およびそれを用いた棚板構造並びに補助テーブル構造に関するのである。
【背景技術】
【０００２】
一般の家庭では調味料などを棚に収納していることが多い。しかし、調味料の種類・サイズやメーカーなどによって大きさが異なり、たまたま購入した調味料のボトルの高さが少し高く棚の高さが合わないために収納出来ないこともよくある。そこで、棚の高さを調節するが、調節できる高さが決められているために、棚を一段高くした結果今度は調味料を入れている棚の上の棚の高さが合わなくなってしまう。すなわち、一般的に市販されている既製品の多くは棚の高さが決められいて、所望する高さに変更できないのは日常よくある事である。そこで、このような不便を解消するために、棚の高さを自由に設定できる発明が開示されている。
【０００３】
図１９は、特許文献１に記載された棚装置を示す説明図である。
特許文献１に記載の棚装置は、載せる物品に応じて棚板の高さを自在に調整して使い勝手をよくすることを目的するものである。その構成は、下の台板１に垂直に支柱２を垂直に立設する。上方に水平に配設した上板３を支柱２の上端に固定する。上板３と台板１との間に複数枚の棚板４を配置すると共に各棚板４に設けた挿通孔５に支柱２を挿通して支柱２に対して棚板４を上下動自在にする。上板３と台板１との間にワイヤ６を張ると共にワイヤ６を各棚板４の取り付け孔７に挿通する。ワイヤ６の任意の位置でワイヤ６に固定し得る棚板係止具８をワイヤ６に各棚板４に対応するように設けると共に棚板係止具８を棚板４の取り付け孔７の孔縁に係止するものである。
【０００４】
【特許文献１】実開平０６−４４４３５号公報
【発明の開示】
【発明が解決しようとする課題】
【０００５】
確かに、特許文献１の方法によれば、載せる物品に応じて棚板の高さを自在に調整することができるかもしれない。しかし、特許文献１には、次のような問題点が考えられる。
（１）棚板４は、ワイヤ６，６によってのみ支持されていることになるので、安定性に欠ける。重量のある物品が棚板に置かれた場合に、棚板４が安定するか疑問である。
（２）棚板４の高さはワイヤ６，６に設けられた棚板係止具８，８によって決まるが、棚板係止具８，８が互いに同じ高さにないと棚板４が傾いてしまう欠点がある。垂下するワイヤ６，６に棚板係止具８，８を同一の高さに固定するのは極めて困難であり、面倒な作業であると思われる。
【０００６】
これに対して、本発明者は、上記特許文献１あるいはその他に存在する棚板の高さを自在に調整できる方法と全く異なる新規な手法で、高さ調節自在な棚板や取付自在な補助テーブルなど様々な場面で利用できる押圧機構を発明した。
【課題を解決するための手段】
【０００７】
本発明の第１の発明から第１１の発明までは、押圧機構に関するものである。
すなわち、第１の発明は、偏心された回転軸を有する偏心部材と、回転軸を軸支させた支持部材とを備え、回転した偏心部材が当接する当接物に対して押圧作用を及ぼすことを特徴とするものである。
第２の発明は、偏心された回転軸を有する偏心部材と、回転軸を軸支させた被支持材とを備え、回転した偏心部材が当接する当接物に対して押圧作用を及ぼすことを特徴とするものである。
第３の発明は、偏心部材が、当接物と当接する当接部位を平面としたことを特徴とするものである。
第４の発明は、支持部材又は被支持材が、当接物に対して最大の押圧作用を及ぼす回転角度を超えて回転する回転角度までに偏心部材の回転範囲を規制することを特徴とするものである。
第５の発明は、支持部材又は被支持材が、基部両端から垂下する側部に形成された軸孔によって偏心部材の回転軸を軸支することを特徴とするものであり、第６の発明は、その軸孔を上下方向へ伸びる長孔としたことを特徴とするものである。
第７の発明は、支持部材が、基部に形成された取付孔によって被支持材を取り付けることを特徴とするものであり、第８の発明は、その取付孔を回転軸と垂直に交わる方向へ伸びる長孔としたことを特徴とするものである。
第９の発明は、支持部材又は被支持材へ取り付けるＬ字形のアーム部材を備え、折曲した折曲片を偏心部材と相対させ、偏心部材が当接物に及ぼす押圧作用を受け止めることを特徴とするものである。
第１０の発明は、偏心部材と折曲片との間に当接物の形状に噛み合う当て嵌め部材を備えたことを特徴とするものである。
第１１の発明は、偏心部材へその両端部を回転軸方向に取り付ける紐部材を備え、回転する偏心部材に巻き付く紐部材によって、偏心部材と紐部材とに挟まれた当接物へ押圧作用を及ぼすことを特徴とするものである。
【０００８】
本発明の第１２の発明は、棚板構造に関するものであり、第１３の発明は、補助テーブルに関するものである。
すなわち、第１２の発明は、枠体に棚板を設けるために、棚板となる被支持材の両端へ請求項１から１１のいずれかに記載の押圧機構を備え、被支持材の両端が当接物たる左右の枠体へ押圧作用を及ぼして棚板として固定されることを特徴とするものである。
第１３の発明は、補助対象物に補助テーブルを設けるために、補助テーブルとなる被支持材の一端に請求項１から１１のいずれかに記載の押圧機構を備え、被支持体の一端が当接物たる補助対象物へ押圧作用を及ぼして補助テーブルとして固定されることを特徴とするものである。
【発明の効果】
【０００９】
本発明によれば、以下のような効果を有する。
（１）偏心部材に偏心された回転軸を有することで、その偏心部材を回転させるだけで、偏心部材が当接する当接物に対して簡単に押圧作用を及ぼすことができる。
（２）当接物と当接する偏心部材の当接部位を平面としたことで、偏心部材と当接物との当接がより確実になり、当接物に対する偏心部材の押圧作用が安定する。
（３）支持部材又は被支持材が、当接物に対して最大の押圧作用を及ぼす回転角度を超えて回転する回転角度までに偏心部材の回転範囲を規制することで、偏心部材が当接物に対して最大の押圧作用を及ぼす回転角度を超えて回転する回転角度のところで係止されて、偏心部材をロックされた状態にできる。
（４）支持部材又は被支持材の側部に形成された軸孔を上下方向へ伸びる長孔としたことで、偏心部材の回転角度を自在に調節できる。すなわち、偏心部材を軸孔の上方で軸支することで、偏心部材が基部に接触しやすくなり偏心部材の回転角度を小さくし、軸孔の下方で軸支することで、偏心部材が基部に接触しにくくなり偏心部材の回転角度を大きくする。
（５）支持部材の基部に形成された取付孔を回転軸と垂直に交わる方向へ伸びる長孔としたことで、偏心部材の当接物に対する押圧作用を自在に調節できる。すなわち、支持部材を被支持材へ当接物寄りに取り付けることで、偏心部材が当接物に接近し偏心部材の押圧作用を大きくし、当接物から隔てて取り付けることで、偏心部材が当接物から遠のき偏心部材の押圧作用を小さくする。
（６）Ｌ字形のアーム部材の折曲片を偏心部材と相対させ、偏心部材が当接物に及ぼす押圧作用を受け止めることで、偏心部材と当接物の当接が強固なものとなる。従って、１の押圧機構のみで被支持材を当接物に固定できるようになる。
（７）回転する偏心部材に巻き付く紐部材によって、偏心部材と紐部材とに挟まれた当接物へ押圧作用を及ぼすことで、偏心部材及び紐部材と当接物の当接が強固なものとなる。従って、１の押圧機構のみで被支持材を当接物に固定できるようになる。
（８）枠体に棚板を設けるために、棚板となる被支持材の両端に押圧機構を備え、被支持材の両端が当接物たる左右の枠体へ押圧作用を及ぼして棚板として固定されることで、所望する高さの位置に棚板を調節することが可能となる。
（９）補助対象物に補助テーブルを設けるために、補助テーブルとなる被支持材の一端に押圧機構を備え、被支持体の一端が当接物たる補助対象物へ押圧作用を及ぼして補助テーブルとして固定されることで、所望する場所・部分等に補助テーブルを設けることが可能となる。
【発明を実施するための最良の形態】
【００１０】
本発明の実施形態について図面に基づいて説明する。
図１は、本発明の押圧機構の構造を示す説明用断面図である。押圧機構１０は、偏心された回転軸２１を有する偏心部材２０と、回転軸２１を軸支させた支持部材３０とを備える。符号４０は、支持部材３０に取り付けられた被支持材であり、符号５０は、偏心部材２０の当接する当接物である。
【００１１】
偏心部材２０は、偏心された回転軸２１を有するため、回転軸が円心にある場合と比較して偏心部材２０の描く円弧が大きくなる。この現象を利用して、偏心部材２０を当接物５０に当接させて、当接物５０に対して押圧作用を及ぼすようにしたものである。図１（Ａ）に示す偏心部材２０は当接物５０に対して押圧作用を及ぼすものではないが、右回り９０度に回転させた図１（Ｂ）に示す偏心部材２０は当接物５０に対して押圧作用を及ぼすようになる。ここで、偏心部材２０は当接物５０に対して及ぼす押圧作用の大きさは、回転軸２１の偏心位置によっても調節できる。すなわち、回転軸２１が円心から離れて外周寄りにあればあるほど偏心部材２０の描く円弧が大きくなるから、その分当接物５０に対して及ぼす押圧作用も大きくなる。
【００１２】
図２は、本発明の押圧機構１０の構造を示すその他の説明用断面図である。図２に示す偏心部材２０の特徴は、偏心部材２０が当接物５０と当接する当接部位２２を平面としたことである。当接物５０と当接する偏心部材２０の当接部位２２を平面としたことで、偏心部材２０と当接物５０との当接がより確実になり、当接物５０に対する偏心部材２０の押圧作用が安定する。
【００１３】
図３も、本発明の押圧機構１０の構造を示すその他の説明用断面図である。図３に示す偏心部材２０の特徴は、支持部材３０が、当接物５０に対して最大の押圧作用を及ぼす回転角度（右回り９０度）を超えて回転する回転角度（例えば、右回り１００度〜１１０度）で偏心部材２０と接触し、偏心部材２０の回転範囲を規制するものである。
【００１４】
図３（Ｂ）に示すように、偏心部材２０が当接物５０に対して最大の押圧作用を及ぼす回転角度（右回り９０度）を超えて回転する回転角度（例えば、右回り１００度〜１１０度）のところで係止される。偏心部材２０はいったん最大の押圧作用を及ぼす回転角度（右回り９０度）を超えているので、逆回転して図３（Ａ）に示す元の位置には戻らない。従って、偏心部材２０をロックされた状態にでき、当接物５０に対する押圧作用を保持できる。
【００１５】
図４は、支持部材３０を示す説明用斜視図である。支持部材３０は、基部３１両端から垂下する側部３２，３２に形成された軸孔３３，３３によって偏心部材２０の回転軸２１を軸支する。その軸孔３３は、図示するように上下方向へ伸びる長孔とするとよい。軸孔３３を長孔とすることで、偏心部材２０の回転角度を自在に調節できるからである。すなわち、偏心部材２０を軸孔３３の上方で軸支することで、偏心部材２０が基部３１に接触しやすくなり偏心部材２０の回転角度を小さくし、軸孔３３の下方で軸支することで、偏心部材２０が基部３１に接触しにくくなり偏心部材２０の回転角度を大きくする。
【００１６】
また、支持部材３０は、基部３１に形成された取付孔３４，３４，…によって被支持材４０を取り付ける。その取付孔３４も、図示するように回転軸２１と垂直に交わる方向へ伸びる長孔とするとよい。取付孔３４を長孔とすることで、偏心部材２０の当接物５０に対する押圧作用を自在に調節できるからである。すなわち、支持部材３０を被支持材４０へ当接物５０寄りに取り付けることで、偏心部材２０が当接物５０に接近し偏心部材２０の押圧作用を大きくし、当接物５０から隔てて取り付けることで、偏心部材２０が当接物５０から遠のき偏心部材２０の押圧作用を小さくする。
【００１７】
図５は、本発明の押圧機構１０のその他の構造を示す説明用斜視図である。図５に示す押圧機構１０の特徴は、支持部材３０へ取り付けるＬ字形のアーム部材４５を備えることである。アーム部材４５は、支持部材３０の基部３１又は側部３２，３２に取り付けられ、折曲した折曲片４６を偏心部材２０と相対させる。
【００１８】
この折曲片４６を偏心部材２０と相対させ、偏心部材２０が当接物（図示省略）に及ぼす押圧作用を受け止めることで、偏心部材２０と当接物（図示省略）の当接が強固なものとなる。従って、後記するように１の押圧機構１０のみで被支持材（図示省略）を当接物（図示省略）に固定できるようになる。なお、折曲片４６と偏心部材２０との間の長さによって、当接物（図示省略）に対する押圧作用を調節できる。すなわち、折曲片４６と偏心部材２０との間の長さを短くすると押圧作用を大きくでき、長くすると押圧作用を小さくできる。
【００１９】
なお、図１８は、アーム部材７０に対する支持部材６０の位置決め構造を示した一例である。アームガイド６１，６１を備えてアーム部材７０にスライドな支持部材６０は、アームガイド６１の一部またはその近傍に形成された掘込部分６２にねじりコイルばね６３を有する。また、アームガイド６１，６１間には、ボルトとナットで締結されたかんぬき部分６５がアーム部材７０に取り付けられており、ボルトとナットを弛めてアーム部材７０にスライド可能になっている。そして、支持部材６０にあるねじりコイルばね６５が、かんぬき部分６５に当接し、ばねの付勢によってかんぬき部分６５が傾斜してアーム部材７０に固定されるとともに（かんぬき作動時）、ばねの付勢を無くすと傾斜したかんぬき部分６５が元に戻りアーム部材７０への固定が解除されるものである（かんぬき開放時）。
【００２０】
図６〜図８も、本発明の押圧機構１０のその他の構造を示す説明用斜視図である。図６〜図８に示す押圧機構１０の特徴は、回転する偏心部材２０に巻き付く紐部材２５を備えることである。図６に示すように、紐部材２５は、偏心部材２０へその両端部を回転軸２１方向に取り付けている。そして、偏心部材２０の回転に伴い偏心部材２０に巻き付く紐部材２５によって、偏心部材２０と紐部材２５とに挟まれた当接物５０へ押圧作用を及ぼし、偏心部材２０及び紐部材２５と当接物５０との当接が強固なものとなる。従って、図５の場合と同様に、１の押圧機構のみで被支持材を当接物に固定できるようになる。なお、偏心部材２０に紐部材２５用の巻付溝２７を形成すると、偏心部材２０を回転させたときの紐部材２５の巻き付けが確実になる。
【００２１】
図７（Ａ）に示すように、偏心部材２０を回転させると偏心部材２０自身が当接物５０に対して押圧作用を及ぼすとともに、偏心部材２０に巻き付く紐部材２５も当接物５０に対して押圧作用を及ぼすことになる。
また、図７（Ｂ）に示すように、偏心部材２０を逆回転させると偏心部材２０の当接物５０に対する押圧作用がなくなり、偏心部材２０から解かれる紐部材２５も当接物５０に対する押圧作用がなくなり、偏心部材２０及び紐部材２５と当接物５０との当接が解消される。
従って、図７（Ａ）および図７（Ｂ）の動作を交互に行うことで、被支持材を当接物５０へ着脱自在にできる。
【００２２】
図８に示す押圧機構１０は、紐部材２５に受け材２６を設けたものである。この受け材２６が、紐部材２５と当接物５０との当接に際して緩衝材的な役割を果たし、当接物５０に傷（紐痕）を付けずに偏心部材２０及び紐部材２５と当接物５０との強固な当接を実現できる。
【００２３】
図９は、本発明の棚板構造を示す説明用断面図である。棚板構造１１は、枠体５１に棚板４１を設けるものであり、棚板４１となる被支持材４０の両端へ押圧機構１０を備える（図９（Ａ））。そして、偏心部材２０，２０を回転させて、被支持材４０の両端が当接物５０たる左右の枠体５１，５１へ押圧作用を及ぼし、棚板４１として固定されるものである（図９（Ｂ））。
【００２４】
この方法によれば、枠体５１の所望する任意の高さのところに、棚板４１を簡単に固定させることができる。また、上記特許文献１のように、最初に棚板係止具８，８を位置決めしその後に棚板４を取り付けることにすると、どうしても棚板４が傾いてしまうおそれがある。しかし、予め押圧機構１０と棚板４１とが一体化されているので、一方の押圧機構１０の位置が決まれば、他方の押圧機構１０の位置が自然と決まるので、棚板４１を傾いた状態で固定することがなくなる。
【００２５】
図１０は、本発明の棚板構造を示す説明用一部拡大図である。図１０に示す３段目の棚板４１ａは、図９に示す棚板構造１１によって固定されている。また、図１０に示す１段目の棚板４１ｂは、図５に示すアーム部材４５を備えた押圧機構１０を用いた棚板構造１１となっている。棚板４１ｂは、アーム部材４５を備えることで、偏心部材２０と枠体５１の当接が強固なものとなり、３段目の棚板４１ａよりも確実に固定される。
【００２６】
図１１〜図１４は、本発明の補助テーブル構造を示す説明図である。ここでは、押圧機構１０として図５に示すアーム部材４５を備えた押圧機構１０を用いた補助テーブル構造を紹介するが、これらの実施例に限定されるものではなく、また、場合によっては図６に示す紐部材２５を備えた押圧機構１０を用いてもよい。
【００２７】
図１１は、食卓や会議テーブルなどの補助対象物５２ａに補助テーブル４２ａを取り付ける例（水平延長タイプ）を示している。すなわち、アーム部材４５を支持部材３０の基部３１に取り付けるとともに、アーム部材４５の折曲片４６に補助テーブル４２ａとなる被支持材４０を取り付けることで、押圧機構１０によって補助テーブル４２ａを補助対象物５２ａに固定できる。
【００２８】
図１２は、流し台や船のへりなどの補助対象物５２ｂに補助テーブル４２ｂを取り付ける例（立上延長タイプ）を示している。すなわち、アーム部材４５と補助テーブル４２ｂをともに支持部材３０の基部３１に取り付けることで、押圧機構１０によって補助テーブル４２ｂを補助対象物５２ｂに固定できる。
【００２９】
図１３は、角柱，壁端（衝立），建具，戸棚堅枠などの補助対象物５２ｃに補助テーブル４２ｃを取り付ける例（直角延長タイプ）を示している。すなわち、支持部材３０の基部３１にテーブル用受け材４３を取り付け、その上に補助テーブル４２ｃを取り付ける。また、そのテーブル用受け材４３の側面にアーム部材４５を取り付ける。このような押圧機構１０によって補助テーブル４２ｃを補助対象物５２ｃに固定できる。なお、アーム部材４５の折曲片４６にアーム用受け材４７を設けることで、アーム部材４５による補助対象物５２ｃへの傷を防止できる。
【００３０】
図１４は、円柱や多角柱などの補助対象物５２ｄに補助テーブル４２ｄを取り付ける例（直角延長タイプ）を示している。すなわち、支持部材３０の基部３１にテーブル用受け材４３を取り付け、その上に補助テーブル４２ｄを取り付ける。また、アーム部材４５は側部３２に取り付けられているが、偏心部材２０と折曲片４６との間に補助対象物５２ｄの形状（円形）に噛み合う当て嵌め部材４８を備えた。このような押圧機構１０によって補助テーブル４２ｄを補助対象物５２ｄに確実に固定できる。なお、円柱や多角柱などの補助対象物５２ｄに対しては、図６に示す紐部材２５を備えた押圧機構１０を用いてもよい。
【００３１】
図１５は、偏心部材２０に回転棒２３を備えた説明用斜視図である。偏心部材２０の回転には押圧がかかるが、偏心部材２０に回転棒２３を突き刺すことで、この回転棒２３を用いれば偏心部材２０の回転が極めて容易となる。
【００３２】
図１６は、偏心部材２０のその他の実施例を示した説明図である。これまで図示した偏心部材２０は円柱状のものであったが、これに限らず、例えば多角形状のもの（２０ａ），凹凸状のもの（２０ｂ），鋸歯状のもの（２０ｃ）など種々のものが考えられる。
【００３３】
図１７は、本発明の押圧機構のその他の実施例を示す説明用斜視図である。図１７に示す押圧機構１０ｂは、棚板となる被支持材４０ｂが支持部材を兼ねる構造となっている。すなわち、被支持材４０ｂの端部内側寄りに偏心部材２０を収納可能な切欠部４４を形成する。そして、被支持材４０ｂの表面を基部３１ｂ、端部両外側に切り欠かれずに残った部分を側部３２ｂ，３２ｂとして、側部３２ｂ，３２ｂに形成された軸孔３３ｂ，３３ｂによって偏心部材２０を軸支する。このような押圧機構１０ｂによれば、枠体に被支持材４０ｂを棚板として固定した場合に、押圧機構１０ｂが外観上に現れずデザイン的にすっきりしたものになる上、押圧機構１０ｂが棚板に載置する載置物の妨げにならない。
【産業上の利用可能性】
【００３４】
本発明は、高さ調節自在な棚板や取付自在な補助テーブルなど様々な場面で利用できる押圧機構である。この押圧機構を用いたものとしては棚板構造や補助テーブル構造があるが、棚板構造としては、戸棚，食器棚，書棚などに利用できる。また、補助テーブル構造としては、例１として、食卓や会議テーブルの端部分に取り付ける補助テーブルに、例２として、流し台やコンロ台の傍らに取り付けて天ぷら等の作業を容易かつ安全にして作業効率を上げる補助テーブルに、例３として、釣り船のヘリに釣具受台として取り付けて釣具の固定と安全を保持する補助テーブルに、例４として、自動車整備工場等に取り付けて必要な各種工具を手の届く範囲に置ける補助テーブル（金属製）など日用品・レジャー用品・工場・建設現場等に幅広く利用できる。
【図面の簡単な説明】
【００３５】
【図１】本発明の押圧機構の構造を示す説明用断面図。
【図２】本発明の押圧機構の構造を示すその他の説明用断面図。
【図３】本発明の押圧機構の構造を示すその他の説明用断面図。
【図４】支持部材を示す説明用斜視図。
【図５】本発明の押圧機構のその他の構造を示す説明用斜視図。
【図６】本発明の押圧機構のその他の構造を示す説明用斜視図。
【図７】本発明の押圧機構のその他の構造を示す説明用斜視図。
【図８】本発明の押圧機構のその他の構造を示す説明用斜視図。
【図９】本発明の棚板構造を示す説明用断面図。
【図１０】本発明の棚板構造を示す説明用一部拡大図。
【図１１】本発明の補助テーブル構造を示す説明図。
【図１２】本発明の補助テーブル構造を示す説明図。
【図１３】本発明の補助テーブル構造を示す説明図。
【図１４】本発明の補助テーブル構造を示す説明図。
【図１５】偏心部材に回転棒を備えた説明用斜視図。
【図１６】偏心部材のその他の実施例を示した説明図。
【図１７】本発明の押圧機構のその他の構造を示す説明用斜視図。
【図１８】アーム部材に対する支持部材の位置決め構造を示した一例。
【図１９】特許文献１に記載された棚装置を示す説明図。
【符号の説明】
【００３６】
１０  押圧機構    １１  棚板構造
２０  偏心部材    ２１  回転軸    ２２  当接部位    ２３  回転棒
２５  紐部材      ２６  受け材    ２７  巻付溝
３０  支持部材    ３１  基部      ３２  側部    ３３  軸孔    ３４  取付孔
４０  被支持材    ４１  棚板      ４２  補助テーブル    ４３  テーブル用受け材
４５  アーム部材  ４６  折曲片    ４７  アーム用受け材  ４８  当て嵌め部材
５０  当接物      ５１  枠体      ５２  補助対象物
６０  支持部材    ６１  アームガイド    ６２  掘込部分
６３  ねじりコイルばね    ６５  かんぬき部分    ７０  アーム部材
【図１】
2008069912.tif 000003
【図２】
2008069912.tif 000004
【図３】
2008069912.tif 000005
【図４】
2008069912.tif 000006
【図５】
2008069912.tif 000007
【図６】
2008069912.tif 000008
【図７】
2008069912.tif 000009
【図８】
2008069912.tif 000010
【図９】
2008069912.tif 000011
【図１０】
2008069912.tif 000012
【図１１】
2008069912.tif 000013
【図１２】
2008069912.tif 000014
【図１３】
2008069912.tif 000015
【図１４】
2008069912.tif 000016
【図１５】
2008069912.tif 000017
【図１６】
2008069912.tif 000018
【図１７】
2008069912.tif 000019
【図１８】
2008069912.tif 000020
【図１９】
2008069912.tif 000021